(57)【要約】  本発明は、マルチウェイスイッチ、無線周波数システム及び無線通信装置を提供する。マルチウェイスイッチは、ｎ個のＴポート及び４つのＰポートを含む。各Ｔポートは４つのＰポートに全部結合される。ここで、ｎは整数であり、４≦ｎである。マルチウェイスイッチは、電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってＳＲＳを順番に送信する機能である。
2021507611.tif 000002
【特許請求の範囲】
【請求項１】
マルチウェイスイッチ１０であって、
ｎ個のＴポート及び４つのＰポートを含み、各Ｔポートは４つのＰポートに全部結合され、ｎは整数であり、４≦ｎであり、
前記マルチウェイスイッチは、電子装置の無線周波数回路（３０）及びアンテナシステム（２０）に結合されて、前記電子装置のプリセット機能を実現するために用いられ、前記アンテナシステムは４つのＰポートに対応する４つのアンテナを含み、前記プリセット機能は４つのアンテナによってサウンディングリファレンス信号（ＳＲＳ）を順番に送信する機能である、
ことを特徴とするマルチウェイスイッチ。
【請求項２】
４≦ｎ≦１２であり、
各Ｐポートは４つのアンテナのうちの１つのアンテナに結合され、
前記４つのＰポートのうちのいずれか２つのＰポートは、前記４つのアンテナの異なるアンテナに結合される、
ことを特徴とする請求項１に記載のマルチウェイスイッチ。
【請求項３】
前記電子装置は、単一周波数単一送信モード、単一周波数二重送信モード、二重周波数単一送信モード及び二重周波数二重送信モードの少なくとも１つのモードで動作可能であり、ｎ＝４又はｎ＝５である、
ことを特徴とする請求項１に記載のマルチウェイスイッチ。
【請求項４】
ｎ＝６であり、前記電子装置は、単一周波数二重送信モード、二重周波数単一送信モード及び二重周波数二重送信モードのうちの少なくとも１つで動作可能である、
ことを特徴とする請求項１に記載のマルチウェイスイッチ。
【請求項５】
ｎ＝７であり、前記電子装置は、二重周波数単一送信モード及び二重周波数二重送信モードのうちの少なくとも１つで動作可能である、
ことを特徴とする請求項１に記載のマルチウェイスイッチ。
【請求項６】
ｎ＝８であり、前記電子装置は、二重周波数単一送信モード及び二重周波数二重送信モードのうちの少なくとも１つで動作可能である、
ことを特徴とする請求項１に記載のマルチウェイスイッチ。
【請求項７】
ｎ＝９であり、前記電子装置は、二重周波数単一送信モード及び二重周波数二重送信モードのうちの少なくとも１つで動作可能である、
ことを特徴とする請求項１に記載のマルチウェイスイッチ。
【請求項８】
ｎ＝１０であり、前記電子装置は、二重周波数単一送信モード及び二重周波数二重送信モードのうちの少なくとも１つで動作可能である、
ことを特徴とする請求項１に記載のマルチウェイスイッチ。
【請求項９】
前記電子装置は二重周波数二重送信モードで動作可能であり、ｎ＝１１又はｎ＝１２である、
ことを特徴とする請求項１に記載のマルチウェイスイッチ。
【請求項１０】
前記電子装置は単一周波数単一送信モードで動作可能であり、前記無線周波数回路は論理的に１つの送信回路と４つの受信回路を含み、
前記無線周波数回路は物理的に少なくとも１つの独立回路モジュールを含み、
少なくとも１つの独立回路モジュールは、受信ポート及び送信−受信ポート及び/又は送信ポートを含み、これらはＴポートに結合される、
ことを特徴とする請求項１〜９のいずれか一項に記載のマルチウェイスイッチ。
【請求項１１】
前記電子装置は単一周波数二重送信モードで動作可能であり、前記無線周波数回路は論理的に２つの送信回路と４つの受信回路を含み、
前記無線周波数回路は物理的に少なくとも２つの独立回路モジュールを含み、
少なくとも２つの独立回路モジュールは、受信ポート及び送信−受信ポート及び/又は送信ポートを含み、これらはＴポートに結合される、
ことを特徴とする請求項１〜９のいずれか一項に記載のマルチウェイスイッチ。
【請求項１２】
前記電子装置は二重周波数単一送信モードで動作可能であり、前記無線周波数回路は論理的に２つの送信回路及び８つの受信回路を含み、
前記無線周波数回路は物理的に少なくとも１つの独立回路モジュールを含み、
少なくとも１つの独立回路モジュールは、受信ポート及び送信−受信ポート及び/又は送信ポートを含み、これらはＴポートに結合されるように構成される、
ことを特徴とする請求項１〜９のいずれか一項に記載のマルチウェイスイッチ。
【請求項１３】
前記電子装置は二重周波数二重送信モードで動作可能であり、前記無線周波数回路は論理的に４つの送信回路及び８つの受信回路を含み、
前記無線周波数回路は物理的に少なくとも２つの独立回路モジュールを含み、
少なくとも２つの独立回路モジュールに２つのパワーアンプ（ＰＡ）を含む独立回路モジュールが存在する場合、独立回路モジュールの２つのＰＡは異なる周波数帯域で動作し、
少なくとも２つの独立回路モジュールは、受信ポート及び送信−受信ポート及び/又は送信ポートを含み、これらはＴポートに結合されるように構成される、
ことを特徴とする請求項１〜９のいずれか一項に記載のマルチウェイスイッチ。
【請求項１４】
無線周波数システムであって、
アンテナシステムと、無線周波数回路と、請求項１〜１３のいずれか一項に記載のマルチウェイスイッチと、を含む、
ことを特徴とする無線周波数システム。
【請求項１５】
無線通信装置であって、
アンテナシステムと、無線周波数送信機と、前記無線周波数送信機に結合された無線周波数回路と、請求項１〜１３のいずれか一項に記載のマルチウェイスイッチと、を含む、
ことを特徴とする無線通信装置。
【発明の詳細な説明】
【技術分野】
【０００１】
本発明は、移動端末の技術分野に関し、さらに具体的に、マルチウェイスイッチ、無線周波数システム及び無線通信装置に関する。
【背景技術】
【０００２】
スマートフォンなどの電子製品が広く使用されることに伴って、スマートフォンがサポートすることができるアプリケーションはだんだん多くなり、且つ機能も強力になっている。スマートフォンは、多様化、パーソナライズされた方向に向かって発展し、ユーザの生活に不可欠な電子製品になっている。第四世代（ｔｈｅ  ４ｔｈ  Ｇｅｎｅｒａｔｉｏｎ，４Ｇ）の移動通信システムにおいて、電子装置は一般的にシングルアンテナ又は二重アンテナの無線周波数（ＲＦ）システムアーキテクチャを採用している。現在、第五世代（ｔｈｅ  ５ｔｈ  Ｇｅｎｅｒａｔｉｏｎ，５Ｇ）の移動通信システムの新しいラジオ（Ｎｅｗ  Ｒａｄｉｏ，ＮＲ）システムにおいて、４アンテナ無線周波数システムアーキテクチャをサポートする需要が提案されている。
【発明の概要】
【０００３】
本発明の実施形態は、マルチウェイスイッチ、無線周波数システム及び無線通信装置を提供して、５Ｇ ＮＲにおいて、電子装置の４つのポートに対応する４つのアンテナによってサウンディングリファレンス信号（ｓｏｕｎｄｉｎｇ  ｒｅｆｅｒｅｎｃｅ  ｓｉｇｎａｌｓ、ＳＲＳ）を順番に送信する機能（即ち、４ポートＳＲＳ）を実現する。
【０００４】
第一態様において、本発明の実施形態は、マルチウェイスイッチを提供する。マルチウェイスイッチは、ｎ個のＴポート及び４つのＰポートを含む。各Ｔポートは４つのＰポートに全部結合される。ここで、ｎは整数であり、４≦ｎである。
【０００５】
マルチウェイスイッチは、電子装置の無線周波数回路及びアンテナシステムに結合されて、電子装置のプリセット機能を実現するために用いられる。アンテナシステムは、４つのＰポートに対応する４つのアンテナを含む。プリセット機能は、４つのアンテナによってＳＲＳを順番に送信する機能である。
【０００６】
第二態様において、本発明の実施形態は、無線周波数システムを提供する。無線周波数システムは、アンテナシステムと、無線周波数回路と、無線周波数回路及びアンテナシステムに結合されたマルチウェイスイッチと、を含む。
【０００７】
マルチウェイスイッチは、ｎ個のＴポート及び４つのＰポートを含む。各Ｔポートは４つのＰポートに全部結合される。ここで、ｎは整数であり、４≦ｎである。アンテナシステムは、４つのＰポートに対応する４つのアンテナを含む。マルチウェイスイッチは、プリセット機能を実現するために用いられる。プリセット機能は、４つのアンテナによってＳＲＳを順番に送信する機能である。
【０００８】
第三態様において、本発明の実施形態は、無線通信装置を提供する。無線通信装置は、アンテナシステムと、無線周波数送信機（ｒａｄｉｏ  ｆｒｅｑｕｅｎｃｙ  ｔｒａｎｓｍｉｔｔｅｒ）と、無線周波数送信機に結合された無線周波数回路と、無線周波数回路及びアンテナシステムに結合されたマルチウェイスイッチと、を含む。
【０００９】
マルチウェイスイッチは、ｎ個のＴポート及び４つのＰポートを含む。アンテナシステムは、４つのＰポートに対応する４つのアンテナを含む。各Ｔポートは４つのＰポートに全部結合され、ｎは整数であり、４≦ｎ≦１２である。各Ｐポートは、４つのアンテナのうちの１つのアンテナに結合される。４つのＰポートのうちのいずれか２つのＰポートは、４つのアンテナの異なるアンテナに結合されるように構成される。マルチウェイスイッチは、プリセット機能を実現するために用いられる。プリセット機能は、４つのアンテナによってＳＲＳを順番に送信する機能である。
【００１０】
本発明の実施例において、電子装置は、アンテナシステムと、無線周波数回路と、マルチウェイスイッチと、を含む。アンテナシステムは、４つのアンテナを含む。マルチウェイスイッチは、ｎ個のＴポート及び４つのＰポートを含む。マルチウェイスイッチは、無線周波数回路及びアンテナシステムに結合されて、４つのＰポートに対応する４つのアンテナによってＳＲＳを順番に送信するプリセット機能を実現する。
【図面の簡単な説明】
【００１１】
以下、本発明の実施形態又は従来の技術の技術方案をより明確に説明するために、本発明の実施形態又は従来の技術の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の実施形態に係わる電子装置の構造を示す概略図である。
【図２】図２は、本発明の実施形態に係わる全部結合された４Ｐ４Ｔスイッチの構造を示す概略図である。
【図３Ａ】図３Ａは、本発明の実施形態に係わる単一周波数単一送信モード（ｓｉｎｇｌｅ−ｆｒｅｑｕｅｎｃｙ  ｓｉｎｇｌｅ−ｔｒａｎｓｍｉｔ  ｍｏｄｅ）で動作可能な電子装置の全部結合された４Ｐ４Ｔスイッチ（ｆｕｌｌｙ  ｃｏｕｐｌｅｄ  ４Ｐ４Ｔ  ｓｗｉｔｃｈ）に適合した無線周波数回路の構造を示す概略図である。
【図３Ｂ】図３Ｂは、本発明の実施形態に係わる単一周波数二重送信モード（ｓｉｎｇｌｅ−ｆｒｅｑｕｅｎｃｙ  ｄｕａｌ−ｔｒａｎｓｍｉｔ  ｍｏｄｅ）で動作可能な電子装置の全部結合された４Ｐ４Ｔスイッチに適合した無線周波数回路の構造を示す概略図である。
【図３Ｃ】図３Ｃは、本発明の実施形態に係わる二重周波数単一送信モード（ｄｕａｌ−ｆｒｅｑｕｅｎｃｙ  ｓｉｎｇｌｅ−ｔｒａｎｓｍｉｔ  ｍｏｄｅ）で動作可能な電子装置の全部結合された４Ｐ４Ｔスイッチに適合した無線周波数回路の構造を示す概略図である。
【図３Ｄ】図３Ｄは、本発明の実施形態に係わる二重周波数二重送信モード（ｄｕａｌ-ｆｒｅｑｕｅｎｃｙ  ｄｕａｌ-ｔｒａｎｓｍｉｔ  ｍｏｄｅ）で動作可能な電子装置の全部結合された４Ｐ４Ｔスイッチに適合した無線周波数回路の構造を示す概略図である。
【図４Ａ】図４Ａは、本発明の実施形態に係わる単一周波数単一送信モードで動作可能な電子装置の全部結合された４Ｐ５Ｔスイッチに適合した無線周波数回路の構造を示す概略図である。
【図４Ｂ】図４Ｂは、本発明の実施形態に係わる単一周波数二重送信モードで動作可能な電子装置の全部結合された４Ｐ５Ｔスイッチに適合した無線周波数回路の構造を示す概略図である。
【図４Ｃ】図４Ｃは、本発明の実施形態に係わる二重周波数単一送信モードで動作可能な電子装置の全部結合された４Ｐ５Ｔスイッチに適合した無線周波数回路の構造を示す概略図である。
【図４Ｄ】図４Ｄは、本発明の実施形態に係わる二重周波数二重送信モードで動作可能な電子装置の全部結合された４Ｐ５Ｔスイッチに適合した無線周波数回路の構造を示す概略図である。
【図５Ａ】図５Ａは、本発明の実施形態に係わる単一周波数二重送信モードで動作可能な電子装置の全部結合された４Ｐ６Ｔスイッチに適合した無線周波数回路の構造を示す概略図である。
【図５Ｂ】図５Ｂは、本発明の実施形態に係わる二重周波数単一送信モードで動作可能な電子装置の全部結合された４Ｐ６Ｔスイッチに適合した無線周波数回路の構造を示す概略図である。
【図５Ｃ】図５Ｃは、本発明の実施形態に係わる二重周波数二重送信モードで動作可能な電子装置の全部結合された４Ｐ６Ｔスイッチに適合した無線周波数回路の構造を示す概略図である。
【図６Ａ】図６Ａは、本発明の実施形態に係わる二重周波数単一送信モードで動作可能な電子装置の全部結合された４Ｐ７Ｔスイッチに適合した無線周波数回路の構造を示す概略図である。
【図６Ｂ】図６Ｂは、本発明の実施形態に係わる二重周波数二重送信モードで動作可能な電子装置の全部結合された４Ｐ７Ｔスイッチに適合した無線周波数回路の構造を示す概略図である。
【図７Ａ】図７Ａは、本発明の実施形態に係わる二重周波数単一送信モードで動作可能な電子装置の全部結合された４Ｐ８Ｔスイッチに適合した無線周波数回路の構造を示す概略図である。
【図７Ｂ】図７Ｂは、本発明の実施形態に係わる二重周波数二重送信モードで動作可能な電子装置の全部結合された４Ｐ８Ｔスイッチに適合した無線周波数回路の構造を示す概略図である。
【図８Ａ】図８Ａは、本発明の実施形態に係わる二重周波数単一送信モードで動作可能な電子装置の全部結合された４Ｐ９Ｔスイッチに適合した無線周波数回路の構造を示す概略図である。
【図８Ｂ】図８Ｂは、本発明の実施形態に係わる二重周波数二重送信モードで動作可能な電子装置の全部結合された４Ｐ９Ｔスイッチに適合した無線周波数回路の構造を示す概略図である。
【図９Ａ】図９Ａは、本発明の実施形態に係わる二重周波数単一送信モードで動作可能な電子装置の全部結合された４Ｐ１０Ｔスイッチに適合した無線周波数回路の構造を示す概略図である。
【図９Ｂ】図９Ｂは、本発明の実施形態に係わる二重周波数二重送信モードで動作可能な電子装置の全部結合された４Ｐ１０Ｔスイッチに適合した無線周波数回路の構造を示す概略図である。
【図１０】図１０は、本発明の実施形態に係わる二重周波数二重送信モードで動作可能な電子装置の全部結合された４Ｐ１１Ｔスイッチに適合した無線周波数回路の構造を示す概略図である。
【図１１】図１１は、本発明の実施形態に係わる二重周波数二重送信モードで動作可能な電子装置の全部結合された４Ｐ１２Ｔスイッチに適合した無線周波数回路の構造を示す概略図である。
【図１２】図１２は、本発明の実施形態に係わる電子装置のアンテナシステムの構造を示す概略図である。
【図１３】図１３は、本発明の実施形態に係わる電子装置のアンテナシステムの構造を示す概略図である。
【図１４】図１４は、本発明の実施形態に係わる無線周波数システムの構造を示す概略図である。
【図１５】図１５は、本発明の実施形態に係わる無線通信装置の構造を示す概略図である。
【図１６】図１６は、本発明の実施形態に係わる無線通信装置のアンテナを再利用するための無線充電受信機を示す概略図である。
【図１７】図１７は、本発明の実施形態に係わる４つのアンテナを含むループアレイアンテナの構造を示す概略図である。
【発明を実施するための形態】
【００１２】
以下、本発明の実施形態の添付の図面を参照しながら、本発明の実施形態の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００１３】
本願の明細書、特許請求の範囲及び図面で使用される用語「第一」、「第二」などは、特定の順序を説明するために用いられなく、異なる対象を区別するために用いられる。用語「備える」、「含む」、「有する」及びそれらの変形は、非排他的包含を網羅することを意図する。例えば、一連のステップ又はユニットを含むプロセス、方法、システム、製品、又は装置は、リストされたステップ又はユニットに限定されず、選択的に、リストされていない他のステップ又はユニットを含むことができ、又は、選択的に、これらのプロセス、方法、製品、又はデバイスに固有する他のステップ又はユニットを含むことができる。
【００１４】
本明細書で言及される「実施例」又は「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的及び暗黙的に理解される。
【００１５】
本発明の実施形態に係わる電子装置は、無線通信機能を有する様々なハンドヘルドデバイス、車載デバイス、ウェアラブルデバイス、コンピューティングデバイス又はワイヤレスモデムに接続された他の処理デバイス、及び様々な形態のユーザ装置（Ｕｓｅｒ  Ｅｑｕｉｐｍｅｎｔ，ＵＥ）、モバイルステーション（Ｍｏｂｉｌｅ  Ｓｔａｔｉｏｎ，ＭＳ）、端末装置（ｔｅｒｍｉｎａｌ  ｄｅｖｉｃｅ）などを含むことができる。便利に説明するために、上記のデバイスを総称して電子装置と呼ぶ。
【００１６】
現在、携帯電話の４つのアンテナを切り替えてＳＲＳを送信する機能は、中国移動通信グループ（Ｃｈｉｎａ  Ｍｏｂｉｌｅ  Ｃｏｍｍｕｎｉｃａｔｉｏｎｓ  Ｇｒｏｕｐ  Ｃｏ．，Ｌｔｄ，ＣＭＣＣ）が「中国移動５Ｇ規模試験技術白書−端末」における必須オプションであり、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）ではオプションであり、その主な目的は、基地局が携帯電話の４つのアンテナのアップリンク信号を測定することにより、４つのチャネルの品質とパラメータを確認し、チャネルの相互関係に応じて４つのチャネルに対してダウンリンク大規模多入力多出力（Ｍｕｌｔｉｐｌｅ−Ｉｎｐｕｔ  Ｍｕｌｔｉｐｌｅ−Ｏｕｔｐｕｔ，ＭＩＭＯ）アンテナアレイのビームフォーミングを実行して、最後にダウンリンク４×４ＭＩＭＯが最適なデータ伝送性能を獲得するようにすることである。
【００１７】
４つのアンテナを切り替えてＳＲＳを送信する要件を満たすために、３Ｐ３Ｔ/ＤＰＤＴ/マルチウェイ小型スイッチスイッチングスキームと比較すると、本発明の実施形態によって提供された４ＰｎＴアンテナスイッチに基づく無線周波数アーキテクチャは、無線周波数システムの信号送信経路と信号受信経路の直列に接続されたスイッチの数を減らすことができ（全部又は一部のスイッチを４ＰｎＴスイッチに統合する）、リンク損失を減らして、端末装置全体の送信及び受信性能を最適化する。以下、本発明の実施形態を詳細に説明する。
【００１８】
図１は、本発明の実施形態に係わるマルチウェイスイッチ１０の構造を示す概略図である。マルチウェイスイッチ１０は、ｎ個のＴポート及び４つのＰポートを含む。ｎ個のＴポートのうちの各Ｔポートは、すべての４つのＰポートに結合され（即ち、全部結合される（ｆｕｌｌｙ-ｃｏｕｐｌｅｄ））、ｎは整数であり、４≦ｎである。マルチウェイスイッチ１０は、電子装置１００に適用可能である。電子装置１００は、アンテナシステム２０及び無線周波数回路３０を含む。アンテナシステム２０は４つのアンテナを含む。４つのアンテナは、４つのＰポートに対応する。具体的には、４つのアンテナと４つのＰポートは１対１で対応される。
【００１９】
マルチウェイスイッチ１０は、無線周波数回路３０及びアンテナシステム２０に結合されて、電子装置１００のプリセット機能を実現するために用いられる。プリセット機能は、４つのＰポートに対応する４つのアンテナによってＳＲＳを順番に送信する機能であり、４ポートＳＲＳ機能であると理解できる。
【００２０】
電子装置は、無線周波数トランシーバをさらに含む。無線周波数トランシーバは、無線周波数回路に結合され、且つ無線周波数回路、マルチウェイスイッチ及びアンテナシステムとともに電子装置の無線周波数システムを構成する。
【００２１】
本発明の「Ｐポート」は、「極ポート（ｐｏｌｅ  ｐｏｒｔ）」の略語であり、マルチウェイスイッチにおけるアンテナに結合されたポートを指す。本発明の「Ｔポート」は、「スローポート（ｔｈｒｏｗ  ｐｏｒｔ）」の略語であり、マルチウェイスイッチにおける無線周波数モジュールに結合されたポートを指す。例えば、マルチウェイスイッチは４Ｐ４Ｔスイッチである。図２に示されたように、４つのＰポートは、Ｐポート１、Ｐポート２、Ｐポート３、Ｐポート４である。本明細書の「モジュール」は、回路及び関連するコンポーネントの任意の組み合わせを指すことができる。
【００２２】
本発明の実施形態で説明するマルチウェイスイッチのＴポートとＰポートの間の結合（ｃｏｕｐｌｉｎｇ）、全部結合（ｆｕｌｌｙ  ｃｏｕｐｌｅｄ）、又は他の種類の結合の概念は、Ｔポートが第一スイッチトランジスタによってＰポートに結合されることを指す。１つのＴポート又は１つのＰポートは、第二スイッチトランジスタの１つのポートであることができる。第一スイッチトランジスタは、ＴポートとＰポートとの間の単方向導通状態（ＴポートからＰポートへの単方向導通状態及びＰポートからＴポートへの単方向導通状態を含む）を制御するために用いられる。第一スイッチトランジスタは、例えば、３つの金属酸化物半導体（ＭＯＳ）トランジスタからなるスイッチアレイであることができる。第一スイッチトランジスタが切断され且つ接地されていない場合、寄生パラメータは、導通されている他のポートの性能に影響を与える。従って、第一スイッチトランジスタは３つのＭＯＳトランジスタで構成され、３つのＭＯＳトランジスタは共通のソース（ｃｏｍｍｏｎ  ｓｏｕｒｃｅ）に接続され、つまり共通のソースに結合されることができる。第一スイッチトランジスタが切断されると、両側のＭＯＳトランジスタが切断され、中央の１つのＭＯＳトランジスタが接地される。第二スイッチトランジスタは、対応するポート（Ｔポート又はＰポート）を有効にするために用いられる。第二スイッチトランジスタは、例えば、ＭＯＳトランジスタであることができる。ここで、第一スイッチトランジスタ及び第二スイッチトランジスタの具体的な形態は限定されない。１つの実施形態において、電子装置は、第一スイッチトランジスタによって、ＴポートとＰポートとの間の経路の導通を制御することができる。１つの実施形態において、電子装置は、マルチウェイスイッチのスイッチトランジスタに結合される専用のコントローラーを設置することができる。
【００２３】
「４つのＰポートに対応する４つのアンテナによってＳＲＳを順番に送信する」とは、電子装置はポーリングメカニズムに基づいて基地局と対話して各アンテナに対応するアップリンクチャネルの品質を確定する過程を示す。
【００２４】
電子装置は、第五世代の新しいラジオ（５Ｇ ＮＲ）をサポートする携帯電話又は他の端末装置であることができ、例えば、ＣＰＥ（Ｃｕｓｔｏｍｅｒ  Ｐｒｅｍｉｓｅ  Ｅｑｕｉｐｍｅｎｔ）又はＭＩＦＩ（Ｍｏｂｉｌｅ  Ｗｉｆｉ）である。
【００２５】
ｎ個のＴポートのうちの各Ｔポートは４つのＰポートに全部結合されるので、マルチウェイスイッチによって、無線周波数システムの信号受信経路又は信号送信経路における直列に接続された一部又は全てのスイッチの機能を実現することができる。このようにして、信号受信経路又は信号送信経路の直列に接続された独立スイッチの数を減らすことができる。以下、異なる完全結合状態にあるマルチウェイスイッチの内蔵電界効果トランジスタ（ＦＥＴ）の数について詳細に説明する。
【００２６】
例えば、ｎ＝４（マルチウェイスイッチは、４つＴポート、即ちＴポート１、Ｔポート２、Ｔポート３、Ｔポート４を含む）であると仮定し、且つマルチウェイスイッチに電界効果トランジスタが含まれ、４つのＴポートのうちの各Ｔポートは４つのＰポートに全部結合される場合、図２に示されたマルチウェイスイッチの構造を示す概略図のように、マルチウェイスイッチの電界効果トランジスタの数量は４＋４＊４＊３＋４＝５６である。
【００２７】
別の例として、ｎ＝５（マルチウェイスイッチは５つのＴポートを含む）でると仮定し、且つマルチウェイスイッチに電界効果トランジスタが含まれ、５つのＴポートのうちの各Ｔポートは４つのＰポートに全部結合される場合、マルチウェイスイッチの電界効果トランジスタの数量は５＋５＊４＊３＋４＝６９である。
【００２８】
別の例として、ｎ＝１２（マルチウェイスイッチは１２個のＴポートを含む）でると仮定し、且つマルチウェイスイッチに電界効果トランジスタが含まれ、１２個のＴポートのうちの各Ｔポートは４つのＰポートに全部結合される場合、マルチウェイスイッチの電界効果トランジスタの数量は１２＋１２＊４＊３＋４＝１６０である。
【００２９】
本実施形態において、電子装置は、アンテナシステム、無線周波数回路及びマルチウェイスイッチを含む。アンテナシステムは、４つのアンテナを含む。マルチウェイスイッチは、ｎ個のＴポートと４つのＰポートを含む。ｎ個のＴポートのうちの各Ｔポートは、４つのＰポートに全部結合される。マルチウェイスイッチは、無線周波数回路及びアンテナシステムに結合されて、電子装置のプリセット機能を実現するために用いられる。プリセット機能は、４つのＰポートに対応する４つのアンテナによってＳＲＳを順番に送信する機能である。
【００３０】
１つの可能な実施形態において、４≦ｎ≦１２である。４つのＰポートのうちの各Ｐポートは対応するアンテナに結合され、具体的には、１つのＰポートは１つのアンテナに結合される。いずれか２つのＰポートは、異なるアンテナに結合される。
【００３１】
電子装置がダウンリンク（ＤＬ）４×４ＭＩＭＯ動作状態にある場合、同じ周波数帯域の４つのダウンリンク経路において、各Ｔポートは対応するＰポートに結合される。
【００３２】
５Ｇ  ＮＲでは、電子装置はせいぜい二重周波数アップリンクＵＬ２×２ＭＩＭＯ及びダウンリンクＤＬ４×４ＭＩＭＯ（二重周波数二重送信モードと簡略化し、以下、関連する説明も同様に簡略化する）で動作可能であることを考慮すると、即ち、論理的に８つの信号受信経路と４つの信号送信経路に対応し、従ってせいぜい１２個のＴポートが含まれ、ｎの値は１２以下である。
【００３３】
本実施形態において、マルチウェイスイッチの４つのＰポートのうちの各Ｐポートは対応するアンテナに結合されているので、ダウンリンクＤＬ４×４ＭＩＭＯが正常な状態にあることを確保することができ、且つ４≦ｎ≦１２であるので、冗長ポートを回避でき、コストと構造の複雑さを軽減できる。
【００３４】
上述したように、４≦ｎ≦１２であり、本明細書で提供される技術方案の原理はＴポートとＰポートのいかなる可能な構成にさらに普遍的に適用できることを理解すると、衝突しないかぎり、ｎは複数の可能な値を取ることができる。本発明の以下の態様は、本発明の利点に寄与し、各態様を詳細に説明する。
【００３５】
以下、本明細書で言及される用語を説明する。
【００３６】
単一周波数単一送信モード（ｓｉｎｇｌｅ−ｆｒｅｑｕｅｎｃｙ  ｓｉｎｇｌｅ−ｔｒａｎｓｍｉｔ  ｍｏｄｅ）：電子装置が単一周波数帯域−１アップリンク（ＵＬ）送信経路又は単一周波数帯域−４ダウンリンク（ＤＬ）受信経路をサポートできる動作モードを指す。
【００３７】
単一周波数二重送信モード（ｓｉｎｇｌｅ−ｆｒｅｑｕｅｎｃｙ  ｄｕａｌ−ｔｒａｎｓｍｉｔ  ｍｏｄｅ）：電子装置が単一周波数帯域−２ＵＬ送信経路又は単一周波数帯域−４ＤＬ受信経路をサポートできる動作モードを指す。
【００３８】
二重周波数単一送信モード（ｄｕａｌ−ｆｒｅｑｕｅｎｃｙ  ｓｉｎｇｌｅ−ｔｒａｎｓｍｉｔ  ｍｏｄｅ）：電子装置が二重周波数帯域−１ＵＬ送信経路又は二重周波数帯域−４ＤＬ受信経路をサポートできる動作モードを指す。
【００３９】
二重周波数二重送信モード（ｄｕａｌ-ｆｒｅｑｕｅｎｃｙ  ｄｕａｌ-ｔｒａｎｓｍｉｔ  ｍｏｄｅ）：電子装置が二重周波数帯域−２ＵＬ送信経路又は二重周波数帯域−４ＤＬ受信経路をサポートできる動作モードを指す。
【００４０】
４ＰｎＴ、ｎは整数であり、４≦ｎ≦１２：マルチウェイスイッチの特定の構成を指し、マルチウェイスイッチは４つのＰポートとｎ個のＴポートを有するように構成される。
【００４１】
１つの可能な実施形態において、ｎ＝４である（即ち、マルチウェイスイッチは４つのＴポートを含む）。電子装置は、単一周波数単一送信モード、単一周波数二重送信モード、二重周波数単一送信モード及び二重周波数二重送信モードのうちの少なくとも１つのモードで動作可能である。
【００４２】
電子装置が単一周波数単一送信モードで動作可能である場合、電子装置の無線周波数回路は、論理的に４つの受信回路（信号を受信及び/又は処理するために用いられる回路であると理解することができる）及び１つの送信回路（信号を送信及び/又は処理するために用いられる回路であると理解することができる）を含む。マルチウェイスイッチの４つのＴポートのうちの各Ｔポートは４つのＰポートに全部結合されているので、１つの送信回路と４つの受信回路のうちのいずれか１つの受信回路は単極双投（ＳＰＤＴ）スイッチによってトランシーバ回路（信号を送信、受信及び/又は処理するために用いられる回路であると理解することができる）に統合されることができる。トランシーバ回路の１つのポートは４つのＴポートのうちの１つのＴポートに結合され、残りの３つの受信回路と残りの３つのＴポートは１対１で対応して結合される。したがって、電子装置が４つのＤＬ受信経路を含む場合、３つの受信回路に対応する３つのＤＬ受信経路におけるＴポートとＰポートとの間の結合は１対１で対応することを必要とする。ＴポートとＰポートの間の結合方式はここでは限定されない。ＴポートとＰポートとの間は完全結合されるので、ＴポートとＰポートとの間の結合の柔軟性が大幅に向上することを理解することができる。図３Ａに示されたように、受信回路は、低雑音増幅器（ＬＮＡ）及びフィルターを含むことができ、ＬＮＡはフィルターに結合され、フィルターは４つのＴポートのうちの１つのＴポートに結合され、ＬＮＡは無線周波数トランシーバの対応するポートに結合された出力ポートを有する。送信回路は、パワーアンプ（ＰＡ）、フィルター及びパワーカプラーを含むことができ、ＰＡはフィルターに結合され、フィルターはパワーカプラーに結合される。受信回路と送信回路は、ＳＰＤＴスイッチを介してトランシーバ回路に統合されることができる。トランシーバ回路は、ＬＮＡ、ＰＡ、ＳＰＤＴスイッチ、フィルター及びパワーカプラーを含むことができる。ＬＮＡとＰＡは、ＳＰＤＴスイッチの２つのポートに並列に結合され、ＳＰＤＴの残りのポートはフィルターに結合され、フィルターはパワーカプラーに結合され、パワーカプラーは４つのＴポートのうちの１つのＴポートに結合され、ＬＮＡの出力ポート及びＰＡの入力ポートは無線周波数トランシーバの対応するポートに結合される。
【００４３】
電子装置が単一周波数二重送信モードで動作可能である場合、電子装置の無線周波数回路は、論理的に４つの受信回路及び２つの送信回路を含む。マルチウェイスイッチの４つのＴポートのうちの各Ｔポートは４つのＰポートに全部結合されているので、２つの送信回路のうちの１つの送信回路と４つの受信回路のうちの１つの受信回路はトランシーバ回路に統合され、２つの送信回路のうちの別の送信回路と４つの受信回路のうちの別の受信回路は別のトランシーバ回路に統合される。２つのトランシーバ回路のポートは、４つのＴポートのうちの２つのＴポートに結合され（１対１で対応する）、残りの２つの受信回路のポートは、残りの２つのＴポートに結合される（１対１で対応する）。さらに、図３Ｂに示されたように、２つのトランシーバ回路は、異なる独立回路モジュールにある。送信回路及び受信回路の具体的な構成は、前述の実施形態と同様であり、本明細書では再び説明しない。
【００４４】
電子装置が二重周波数単一送信モードで動作可能である場合、電子装置の無線周波数回路は、論理的に８つの受信回路及び２つの送信回路を含む。マルチウェイスイッチの４つのＴポートのうちの各Ｔポートは４つのＰポートに全部結合されているので、２つの送信回路のうちの１つの送信回路と８つの受信回路のうちの１つの受信回路はトランシーバ回路に統合され、２つの送信回路のうちの別の送信回路と８つの受信回路のうちの別の１つの受信回路は別のトランシーバ回路に統合される。上記の２つのトランシーバ回路は、ＳＰＤＴスイッチによってトランシーバ集積回路（信号を送信、受信及び/又は処理するために用いられる集積回路であると理解することができる）に統合され、且つ同じパワーカプラーを共有する。ＳＰＤＴスイッチのポートは４つのＴポートのうちの１つのＴポートに結合される。残りの６つの受信回路は３つのグループに分けられる。各グループには異なる周波数帯域の２つの受信回路が含まれ、各グループの２つの受信回路はＳＰＤＴスイッチによって受信集積回路（信号を受信及び/又は処理するために用いられる集積回路であると理解することができる）に統合される。図３Ｃに示されたように、ＳＰＤＴスイッチのポートは、残りの３つのＴポートのうちの１つのＴポートに結合される。本明細書のトランシーバ集積回路は、パワーカプラーを共有する２つのトランシーバ回路を含む。１つの実施形態では、２つのトランシーバ回路と共有するパワーカプラーは統合される。共有パワーカプラーはＳＰＤＴスイッチに結合され、ＳＰＤＴスイッチのポートは４つのＴポートのうちの１つのＴポートに結合される。
【００４５】
電子装置が二重周波数二重送信モードで動作可能である場合、電子装置の無線周波数回路は、論理的に８つの受信回路及び４つの送信回路を含む。マルチウェイスイッチの４つのＴポートのうちの各Ｔポートは４つのＰポートに全部結合されているので、８つの受信回路と４つの送信回路を４つのグループに分けることができる。各グループには、同じ周波数帯域の１つの受信回路及び１つの送信回路と、上記の周波数帯域とは異なる周波数帯域（即ち、異なる周波数帯域にある）の別の１つの受信回路とが含まれる。同じ周波数帯の受信回路と送信回路はトランシーバ回路に統合され、このトランシーバ回路と異なる周波数帯域の別の１つの受信回路はさらに異なる周波数（ＤＦ）トランシーバ集積回路（信号を送信、受信及び/又は処理するために用いられる集積回路であると理解することができる）に統合され、対応するＴポートに結合される。図３Ｄに示されたように、Ｎｘは第一周波数帯域を表し、Ｎｙは第二周波数帯域を表す。異なる周波数トランシーバ集積回路では、トランシーバ回路のフィルターと別の１つの受信回路のフィルターはパワーカプラーに並列に結合され、パワーカプラーはＳＰＤＴスイッチに結合され、ＳＰＤＴイッチのポートは４つのＴポートのうちの１つのＴポートに結合される。
【００４６】
電子装置の無線周波数システムの送受信統合経路（ｔｒａｎｓｍｉｔ−ｒｅｃｅｉｖｅｉｎｔｅｇｒａｔｅｄ  ｐａｔｈ）にとって、送受信統合経路は２つの独立スイッチ（ＳＰＤＴスイッチ及び４Ｐ４Ｔスイッチ）を含むことができる。受信経路にとって、受信経路は１つの独立スイッチ（４Ｐ４Ｔスイッチ）含むことができるか又は２つの独立スイッチ（４Ｐ４ＴスイッチとＳＰＤＴスイッチ）を含むことができる。即ち、送信経路と受信経路のさらに多いスイッチ機能を４Ｐ４Ｔスイッチに統合することにより、送信経路と受信経路の独立スイッチの数量を効果的に減少することができる。
【００４７】
ｎ＝４である場合、本発明の実施形態に係わるマルチウェイスイッチは、電子装置が単一周波数単一送信モード、単一周波数二重送信モード、二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００４８】
１つの可能な実施形態では、ｎ＝５（即ち、マルチウェイスイッチは５つのＴポートを含む）である。電子装置は、単一周波数単一送信モード、単一周波数二重送信モード、二重周波数単一送信モード及び二重周波数二重送信モードのうちの少なくとも１つで動作可能である。
【００４９】
電子装置が単一周波数単一送信モードで動作可能である場合、電子装置の無線周波数回路は、論理的に４つの受信回路と１つの送信回路を含む。図４Ａに示されたように、マルチウェイスイッチの５つのＴポートのうちの各Ｔポートは４つのＰポートに全部結合されているので、送信回路と４つの受信回路のポートはマルチウェイスイッチの５つのＴポートに１対１で対応して結合される。
【００５０】
電子装置が単一周波数二重送信モードで動作可能である場合、電子装置の無線周波数回路は、論理的に４つの受信回路及び２つの送信回路を含む。マルチウェイスイッチの５つのＴポートのうちの各Ｔポートは４つのＰポートに全部結合されているので、２つの送信回路のうちの１つの送信回路と４つの受信回路のうちの１つの受信回路はトランシーバ回路に統合されることができ、トランシーバ回路はマルチウェイスイッチの５つのＴポートのうちの１つのＴポートに結合され、残りの１つの送信回路はマルチウェイスイッチの５つのＴポートのうちの別の１つのＴポートに結合され、残りの３つの受信回路はそれぞれマルチウェイスイッチの５つのＴポートの残りの３つのＴポートに結合される（１対１で対応する）。図４Ｂに示されたように、トランシーバ回路、受信回路及び送信回路の構成は、前述の実施形態と同様であり、本明細書では再び説明しない。
【００５１】
電子装置が二重周波数単一送信モードで動作可能である場合、電子装置の無線周波数回路は、論理的に８つの受信回路及び２つの送信回路を含む。マルチウェイスイッチの５つのＴポートのうちの各Ｔポートは４つのＰポートに全部結合されているので、２つの送信回路はＳＰＤＴスイッチによって送信集積回路に（信号を送信及び/又は処理するために用いられる集積回路であると理解することができる）統合されることができ、同じパワーカプラーを共有する。送信集積回路は、マルチウェイスイッチの５つのＴポートのうちの１つのＴポートに結合される。８つの受信回路は４つのグループに分けられる。各グループには、異なる周波数帯域の２つの受信回路が含まれる。図４Ｃに示されたように、２つの受信回路はＳＰＤＴスイッチによって受信集積回路に統合され、受信集積回路はマルチウェイスイッチの残りの４つのＴポートのうちの１つのＴポートに結合される。
【００５２】
電子装置が二重周波数二重送信モードで動作可能である場合、電子装置の無線周波数回路は、論理的に８つの受信回路及び４つの送信回路を含む。マルチウェイスイッチの５つのＴポートのうちの各Ｔポートは４つのＰポートに全部結合されているので、４つの送信回路と８つの受信回路のうちの４つの受信回路を２つのグループに分けることができる。各グループには、異なる周波数帯域の２つの送信回路及び異なる周波数帯域の２つの受信回路が含まれる。２つの送信回路及び２つの受信回路は２つのトランシーバ回路に統合されてから、さらに第一トランシーバ集積回路に統合されることができる。第一トランシーバ集積回路は、図３Ｃに示されたものと同様であるので、ここでは再び説明しない。あるいは、２つの送信回路は送信集積回路に統合されることができ、２つの受信回路は受信集積回路に統合されることができる。送信集積回路及び受信集積回路は、さらに第二トランシーバ集積回路に統合されることができる。第二トランシーバ集積回路は、ＳＰＤＴスイッチによって送信集積回路と受信集積回路を統合することによって得られる。第二トランシーバ集積回路のポートは、５つのＴポートのうちの１つのＴポートに結合される。残りの４つの受信回路は３つのグループに分けられる。第一グループ及び第二グループはそれぞれ１つの受信回路を含み、第三グループは異なる周波数帯域の２つの受信回路を含む。第一グループの受信回路のポートは、残りの３つのＴポートのうちの１つのＴポートに結合され、第二グループの受信回路のポートは、残りの２つのＴポートのうちの１つのＴポートに結合される。同様に、第三グループの異なる周波数帯域の２つの受信回路はＳＰＤＴスイッチによって受信集積回路に統合され、受信集積回路のポートはマルチウェイスイッチの残りの１つのＴポートに結合される。図４Ｄに示されたように、本明細書のＮｘ及びＮｙは２つの異なる周波数帯域を表す。
【００５３】
電子装置の無線周波数システムの送信経路と受信経路にとって、送信経路は１つの独立スイッチ（４Ｐ５Ｔスイッチ）を含むことができるか又は２つの独立スイッチ（ＳＰＤＴスイッチ及び４Ｐ５Ｔスイッチ）を含むことができ、受信経路は１つの独立スイッチ（４Ｐ５Ｔスイッチ）を含むことができるか又は２つの独立スイッチ（ＳＰＤＴスイッチ及び４Ｐ５Ｔスイッチ）を含むことができる。即ち、送信経路と受信経路のスイッチ機能を４Ｐ５Ｔスイッチに統合することにより、送信経路と受信経路の独立スイッチの数量を効果的に減少することができる。
【００５４】
ｎ＝５である場合、本発明の実施形態に係わるマルチウェイスイッチは、電子装置が単一周波数単一送信モード、単一周波数二重送信モード、二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００５５】
１つの可能な実施形態では、ｎ＝６（即ち、マルチウェイスイッチは６つのＴポートを含む）である場合、電子装置は、単一周波数二重送信モード、二重周波数単一送信モード及び二重周波数二重送信モードのうちの少なくとも１つで動作可能である。
【００５６】
電子装置が単一周波数二重送信モードで動作可能である場合、電子装置の無線周波数回路は、論理的に４つの受信回路及び２つの送信回路を含む。図５Ａに示されたように、マルチウェイスイッチの６つのＴポートのうちの各Ｔポートは４つのＰポートに全部結合されているので、２つの送信回路及び４つの受信回路のポートは、別々にマルチウェイスイッチの６つのＴポートのうちの１つのＴポートに結合される。
【００５７】
電子装置が二重周波数単一送信モードで動作可能である場合、電子装置の無線周波数回路は、論理的に８つの受信回路及び２つの送信回路を含む。マルチウェイスイッチの６つのＴポートのうちの各Ｔポートは４つのＰポートに全部結合されているので、２つの送信回路の各送信回路は、マルチウェイスイッチの６つのＴポートのうちの１つのＴポートに結合される。８つの受信回路は４つのグループに分けられる。各グループには、異なる周波数帯域の２つの受信回路が含まれ、２つの受信回路はＳＰＤＴスイッチによって受信集積回路に統合される。図５Ｂに示されたように、受信集積回路は、マルチウェイスイッチの残りの４つのＴポートのうちの１つＴポートに結合される。なお、電子装置の無線周波数回路の具体的な構成は、本実施形態で説明した構成を含むが、これに限定されない。
【００５８】
電子装置が二重周波数二重送信モードで動作可能である場合、電子装置の無線周波数回路は、論理的に８つの受信回路及び４つの送信回路を含む。マルチウェイスイッチの６つのＴポートのうちの各Ｔポートは４つのＰポートに全部結合されているので、４つの送信回路は２つのグループに分けられ、各グループには異なる周波数帯域の２つの送信回路が含まれる。異なる周波数帯域の２つの送信回路はＳＰＤＴスイッチによって送信集積回路に統合され、送信集積回路はマルチウェイスイッチの６つのＴポートのうちの１つのＴポートに結合される。８つの受信回路は４つのグループに分けられ、各グループには異なる周波数帯域の２つの受信回路が含まれる。図５Ｃに示されたように、異なる周波数帯域の２つの受信回路はＳＰＤＴスイッチによって受信集積回路に統合され、受信集積回路はマルチウェイスイッチの残りの４つのＴポートのうちの１つのＴポートに結合される。なお、電子装置の無線周波数回路の具体的な構成は、本実施形態で説明した構成を含むが、これに限定されない。
【００５９】
電子装置の無線周波数システムの送信経路と受信経路にとって、送信経路は１つの独立スイッチ（４Ｐ６Ｔスイッチ）を含むことができるか又は２つの独立スイッチ（ＳＰＤＴスイッチ及び４Ｐ６Ｔスイッチ）を含むことができ、受信パスは１つの独立スイッチ（４Ｐ６Ｔスイッチ）を含むことができるか又は２つの独立スイッチ（ＳＰＤＴスイッチ及び４Ｐ６Ｔスイッチ）を含むことができる。即ち、送信経路と受信経路のスイッチ機能を４Ｐ６Ｔスイッチに統合することにより、送信経路と受信経路の独立スイッチの数量を効果的に減少することができる。
【００６０】
ｎ＝６である場合、本発明の実施形態に係わるマルチウェイスイッチは、電子装置が単一周波数二重送信モード、二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００６１】
１つの可能な実施形態では、ｎ＝７（即ち、マルチウェイスイッチは７つのＴポートを含む）である場合、電子装置は、二重周波数単一送信モード及び二重周波数二重送信モードのうちの少なくとも１つで動作可能である。
【００６２】
マルチウェイスイッチのＭＯＳトランジスタの数量は７＋７＊４＊３＋４＝９５である。
【００６３】
電子装置が二重周波数単一送信モードで動作可能である場合、電子装置の無線周波数回路は、論理的に８つの受信回路及び２つの送信回路を含む。マルチウェイスイッチの７つのＴポートのうちの各Ｔポートは４つのＰポートに全部結合されているので、２つの送信回路のうちの１つの送信回路はマルチウェイスイッチの７つのＴポートのうちの１つのＴポートに結合される。２つの送信回路のうちの別の１つの送信回路と８つの受信回路のうちの１つの受信回路はＳＰＤＴスイッチによってトランシーバ回路に統合され、このトランシーバ回路はマルチウェイスイッチの７つのＴポートのうちの別の１つのＴポートに結合される。残りの７つの受信回路は５つのグループに分けられる。図６Ａに示されたように、第一グループと第二グループは別々に異なる周波数帯域の２つの受信回路を含み、且つ２つの受信回路はＳＰＤＴスイッチによって受信集積回路に統合され、受信集積回路はマルチウェイスイッチの残りの５つのＴポートのうちの１つのＴポートに結合される。第三グループ、第四グループ及び第五グループは別々に１つの受信回路を含み、この受信回路はマルチウェイスイッチの残りの３つのＴポートのうちの１つのＴポートに結合される。なお、電子装置の無線周波数回路の具体的な構成は、本実施形態で説明した構成を含むが、これに限定されない。
【００６４】
電子装置が二重周波数二重送信モードで動作可能である場合、電子装置の無線周波数回路は、論理的に８つの受信回路及び４つの送信回路を含む。マルチウェイスイッチの７つのＴポートのうちの各Ｔポートは４つのＰポートに全部結合されているので、４つの送信回路のうちの１つの送信回路はマルチウェイスイッチの７つのＴポートのうちの１つのＴポートに結合される。残りの３つの送信回路と８つの受信回路のうちの３つの受信回路はＳＰＤＴスイッチによって３つのトランシーバ回路に統合される。３つのトランシーバ回路は残りの６つのＴポートのうちの３つのＴポートに１対１で対応して結合される。残りの５つの受信回路は３つのグループに分けられる。図６Ｂに示されたように、第一グループと第二グループは別々に異なる周波数帯域の２つの受信回路を含み、且つ２つの受信回路はＳＰＤＴスイッチによって受信集積回路に統合され、受信集積回路はマルチウェイスイッチの残りの３つのＴポートのうちの１つのＴポートに結合される。第三グループは１つの受信回路を含み、この受信回路はマルチウェイスイッチの残りの１つのＴポートに結合される。なお、電子装置の無線周波数回路の具体的な構成は、本実施形態で説明した構成を含むが、これに限定されない。
【００６５】
電子装置の無線周波数システムの送信経路と受信経路にとって、送信経路は１つの独立スイッチ（４Ｐ７Ｔスイッチ）を含むことができるか又は２つの独立スイッチ（ＳＰＤＴスイッチ及び４Ｐ７Ｔスイッチ）を含むことができ、受信パスは１つの独立スイッチ（４Ｐ７Ｔスイッチ）を含むことができるか又は２つの独立スイッチ（ＳＰＤＴスイッチ及び４Ｐ７Ｔスイッチ）を含むことができる。即ち、送信経路と受信経路のスイッチ機能を４Ｐ７Ｔスイッチに統合することにより、送信経路と受信経路の独立スイッチの数量を効果的に減少することができる。
【００６６】
ｎ＝７である場合、本発明の実施形態に係わるマルチウェイスイッチは、電子装置が二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００６７】
１つの可能な実施形態では、ｎ＝８（即ち、マルチウェイスイッチは８つのＴポートを含む）である場合、電子装置は、二重周波数単一送信モード及び二重周波数二重送信モードのうちの少なくとも１つで動作可能である。
【００６８】
マルチウェイスイッチのＭＯＳトランジスタの数量は８＋８＊４＊３＋４＝１０８である。
【００６９】
電子装置が二重周波数単一送信モードで動作可能である場合、電子装置の無線周波数回路は、論理的に８つの受信回路及び２つの送信回路を含む。マルチウェイスイッチの８つのＴポートのうちの各Ｔポートは４つのＰポートに全部結合されているので、２つの送信回路のうちの各送信回路と８つの受信回路のうちの１つの受信回路は１対１で対応してトランシーバ回路に統合され、このトランシーバ回路はマルチウェイスイッチの８つのＴポートのうちの１つのＴポートに結合される。図７Ａに示されたように、残りの６つの受信回路はマルチウェイスイッチの残りの６つのＴポートに（１対１で対応して）結合される。なお、電子装置の無線周波数回路の具体的な構成は、本実施形態で説明した構成を含むが、これに限定されない。
【００７０】
電子装置が二重周波数二重送信モードで動作可能である場合、電子装置の無線周波数回路は、論理的に８つの受信回路及び４つの送信回路を含む。マルチウェイスイッチの８つのＴポートのうちの各Ｔポートは４つのＰポートに全部結合されているので、４つの送信回路のうちの各送信回路はマルチウェイスイッチの８つのＴポートのうちの１つのＴポートに（１対１で対応して）結合される。８つの受信回路は４つのグループに分けられ、各グループには異なる周波数帯域の２つの受信回路が含まれる。図７Ｂに示されたように、２つの受信回路はＳＰＤＴスイッチによって受信集積回路に統合され、受信集積回路はマルチウェイスイッチの残りの４つのＴポートのうちの１つのＴポートに結合される。なお、電子装置の無線周波数回路の具体的な構成は、本実施形態で説明した構成を含むが、これに限定されない。
【００７１】
電子装置の無線周波数システムの送信経路と受信経路にとって、送信経路は１つの独立スイッチ（４Ｐ８Ｔスイッチ）を含むことができるか又は２つの独立スイッチ（ＳＰＤＴスイッチ及び４Ｐ８Ｔスイッチ）を含むことができ、受信パスは１つの独立スイッチ（４Ｐ８Ｔスイッチ）を含むことができるか又は２つの独立スイッチ（ＳＰＤＴスイッチ及び４Ｐ８Ｔスイッチ）を含むことができる。即ち、送信経路と受信経路のスイッチ機能を４Ｐ８Ｔスイッチに統合することにより、送信経路と受信経路の独立スイッチの数量を効果的に減少することができる。
【００７２】
ｎ＝８である場合、本発明の実施形態に係わるマルチウェイスイッチは、電子装置が二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００７３】
１つの可能な実施形態では、ｎ＝９（即ち、マルチウェイスイッチは９つのＴポートを含む）である場合、電子装置は、二重周波数単一送信モード及び二重周波数二重送信モードのうちの少なくとも１つで動作可能である。
【００７４】
マルチウェイスイッチのＭＯＳトランジスタの数量は９＋９＊４＊３＋４＝１２１である。
【００７５】
電子装置が二重周波数単一送信モードで動作可能である場合、電子装置の無線周波数回路は、論理的に８つの受信回路及び２つの送信回路を含む。マルチウェイスイッチの９つのＴポートのうちの各Ｔポートは４つのＰポートに全部結合されているので、２つの送信回路はＳＰＤＴスイッチによってトランスミッター集積回路に統合され、トランスミッター集積回路はマルチウェイスイッチの９つのＴポートのうちの１つのＴポートに結合される。図８Ａに示されたように、８つの受信回路はマルチウェイスイッチの残りの８つのＴポートに（１対１で対応して）結合される。なお、電子装置の無線周波数回路の具体的な構成は、本実施形態で説明した構成を含むが、これに限定されない。
【００７６】
電子装置が二重周波数二重送信モードで動作可能である場合、電子装置の無線周波数回路は、論理的に８つの受信回路及び４つの送信回路を含む。マルチウェイスイッチの９つのＴポートのうちの各Ｔポートは４つのＰポートに全部結合されているので、４つの送信回路のうちの１つの送信回路はマルチウェイスイッチの９つのＴポートのうちの１つのＴポートに結合される。残りの３つの送信回路のうちの各送信回路と同じ周波数帯域の８つの受信回路のうちの対応する受信回路はＳＰＤＴスイッチによって１つのトランシーバ回路に統合され、このトランシーバ回路はマルチウェイスイッチの残りの８つのＴポートのうちの１つのＴポートに結合される。図８Ｂに示されたように、残りの５つの受信回路は、マルチウェイスイッチの残りの５つのＴポートに（１対１で対応して）結合される。なお、電子装置の無線周波数回路の具体的な構成は、本実施形態で説明した構成を含むが、これに限定されない。
【００７７】
電子装置の無線周波数システムの送信経路と受信経路にとって、送信経路は１つの独立スイッチ（４Ｐ９Ｔスイッチ）を含むことができるか又は２つの独立スイッチ（ＳＰＤＴスイッチ及び４Ｐ９Ｔスイッチ）を含むことができ、受信パスは１つの独立スイッチ（４Ｐ９Ｔスイッチ）を含むことができるか又は２つの独立スイッチ（ＳＰＤＴスイッチ及び４Ｐ９Ｔスイッチ）を含むことができる。即ち、送信経路と受信経路のスイッチ機能を４Ｐ９Ｔスイッチに統合することにより、送信経路と受信経路の独立スイッチの数量を効果的に減少することができる。
【００７８】
ｎ＝９である場合、本発明の実施形態に係わるマルチウェイスイッチは、電子装置が二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００７９】
１つの可能な実施形態では、ｎ＝１０（即ち、マルチウェイスイッチは１０個のＴポートを含む）である場合、電子装置は、二重周波数単一送信モード及び二重周波数二重送信モードのうちの少なくとも１つで動作可能である。
【００８０】
マルチウェイスイッチのＭＯＳトランジスタの数量は１０＋１０＊４＊３＋４＝１３４である。
【００８１】
電子装置が二重周波数単一送信モードで動作可能である場合、電子装置の無線周波数回路は、論理的に８つの受信回路及び２つの送信回路を含む。マルチウェイスイッチの１０個のＴポートのうちの各Ｔポートは４つのＰポートに全部結合されているので、２つの送信回路のうちの各送信回路はマルチウェイスイッチの１０個のＴポートのうちの１つのＴポートに（１対１で対応して）結合される。図９Ａに示されたように、８つの受信回路のうちの各受信回路はマルチウェイスイッチの残りの８つのＴポートのうちの１つのＴポートに（１対１で対応して）結合される。なお、電子装置の無線周波数回路の具体的な構成は、本実施形態で説明した構成を含むが、これに限定されない。
【００８２】
電子装置が二重周波数二重送信モードで動作可能である場合、電子装置の無線周波数回路は、論理的に８つの受信回路及び４つの送信回路を含む。マルチウェイスイッチの１０個のＴポートのうちの各Ｔポートは４つのＰポートに全部結合されているので、４つの送信回路を２つのグループに分けることができる。各グループには異なる周波数帯域の２つの送信回路が含まれる。異なる周波数帯域の２つの送信回路はＳＰＤＴスイッチによって送信集積回路に統合され、送信集積回路はマルチウェイスイッチの１０個のＴポートのうちの１つのＴポートに結合される。図９Ｂに示されたように、８つの受信回路のうちの各受信回路は、マルチウェイスイッチの残りの８つのＴポートのうちの１つのＴポートに（１対１で対応して）結合される。なお、電子装置の無線周波数回路の具体的な構成は、本実施形態で説明した構成を含むが、これに限定されない。
【００８３】
電子装置の無線周波数システムの送信経路と受信経路にとって、送信経路は１つの独立スイッチ（４Ｐ１０Ｔスイッチ）を含むことができるか又は２つの独立スイッチ（ＳＰＤＴスイッチ及び４Ｐ１０Ｔスイッチ）を含むことができ、受信パスは１つの独立スイッチ（４Ｐ１０Ｔスイッチ）を含むことができるか又は２つの独立スイッチ（ＳＰＤＴスイッチ及び４Ｐ１０Ｔスイッチ）を含むことができる。即ち、送信経路と受信経路のスイッチ機能を４Ｐ１０Ｔスイッチに統合することにより、送信経路と受信経路の独立スイッチの数量を効果的に減少することができる。
【００８４】
ｎ＝１０である場合、本発明の実施形態に係わるマルチウェイスイッチは、電子装置が二重周波数単一送信モード又は二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００８５】
１つの可能な実施形態では、ｎ＝１１（即ち、マルチウェイスイッチは１１個のＴポートを含む）である場合、電子装置は、二重周波数二重送信モードで動作可能である。
【００８６】
マルチウェイスイッチのＭＯＳトランジスタの数量は１１＋１１＊４＊３＋４＝１４７である。
【００８７】
電子装置が二重周波数二重送信モードで動作可能である場合、電子装置の無線周波数回路は、論理的に８つの受信回路及び４つの送信回路を含む。マルチウェイスイッチの１１個のＴポートのうちの各Ｔポートは４つのＰポートに全部結合されているので、４つの送信回路のうちの１つの送信回路と８つの受信回路のうちの１つの受信回路はＳＰＤＴスイッチによってトランシーバ回路に統合される。トランシーバ回路は、マルチウェイスイッチの１１個のＴポートのうちの１つのＴポートに結合される。残りの３つの送信回路のうちの各送信回路は、マルチウェイスイッチの残りの１０個のＴポートのうちの１つのＴポートに（１対１で対応して）結合される。図１０に示されたように、残りの７つの受信回路は、別々にマルチウェイスイッチの残りの７つのＴポートに１対１で対応して結合される。なお、電子装置の無線周波数回路の具体的な構成は、本実施形態で説明した構成を含むが、これに限定されない。
【００８８】
電子装置の無線周波数システムの送信経路と受信経路にとって、送信経路は１つの独立スイッチ（４Ｐ１１Ｔスイッチ）を含むことができるか又は２つの独立スイッチ（ＳＰＤＴスイッチ及び４Ｐ１１Ｔスイッチ）を含むことができ、受信パスは１つの独立スイッチ（４Ｐ１１Ｔスイッチ）を含むことができるか又は２つの独立スイッチ（ＳＰＤＴスイッチ及び４Ｐ１１Ｔスイッチ）を含むことができる。即ち、送信経路と受信経路のスイッチ機能を４Ｐ１１Ｔスイッチに統合することにより、送信経路と受信経路の独立スイッチの数量を効果的に減少することができる。
【００８９】
ｎ＝１１である場合、本発明の実施形態に係わるマルチウェイスイッチは、電子装置が二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００９０】
１つの可能な実施形態では、ｎ＝１２（即ち、マルチウェイスイッチは１２個のＴポートを含む）である場合、電子装置は、二重周波数二重送信モードで動作可能である。
【００９１】
マルチウェイスイッチのＭＯＳトランジスタの数量は１２＋１２＊４＊３＋４＝１６０である。
【００９２】
電子装置が二重周波数二重送信モードで動作可能である場合、電子装置の無線周波数回路は、論理的に８つの受信回路及び４つの送信回路を含む。図１１に示されたように、マルチウェイスイッチの１２個のＴポートのうちの各Ｔポートは４つのＰポートに全部結合されているので、４つの送信回路と８つの受信回路は、マルチウェイスイッチの１２個のＴポートに１対１で対応して結合される。なお、電子装置の無線周波数回路の具体的な構成は、本実施形態で説明した構成を含むが、これに限定されない。
【００９３】
電子装置の無線周波数システムの送信経路と受信経路にとって、送信経路は１つの独立スイッチ（４Ｐ１２Ｔスイッチ）を含むことができるか又は２つの独立スイッチ（ＳＰＤＴスイッチ及び４Ｐ１２Ｔスイッチ）を含むことができ、受信パスは１つの独立スイッチ（４Ｐ１２Ｔスイッチ）を含むことができるか又は２つの独立スイッチ（ＳＰＤＴスイッチ及び４Ｐ１２Ｔスイッチ）を含むことができる。即ち、送信経路と受信経路のスイッチ機能を４Ｐ１２Ｔスイッチに統合することにより、送信経路と受信経路の独立スイッチの数量を効果的に減少することができる。
【００９４】
ｎ＝１２である場合、本発明の実施形態に係わるマルチウェイスイッチは、電子装置が二重周波数二重送信モードで動作できるようにすることができ、５Ｇ  ＮＲで４ポートＳＲＳスイッチングをサポートする電子装置のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００９５】
上述した受信回路及び送信回路は、様々な方法で実現できることを理解できる。本発明の実施形態は特に限定しない。
【００９６】
１つの可能な実施形態では、電子装置は単一周波数単一送信モードで動作可能であり、無線周波数回路は論理的に１つの送信回路と４つの受信回路を含む。無線周波数回路は、物理的に少なくとも１つの独立回路モジュールを含む。少なくとも１つの独立回路モジュールは、受信ポート（信号受信ポートとも呼ばれる）及び送信−受信ポート（信号送信−受信ポートとも呼ばれる）及び/又は送信ポート（信号送信ポートとも呼ばれる）を含み、これらはＴポートに結合されるように構成される。具体的には、少なくとも１つの独立回路モジュールは、１つ以上の送信−受信ポート、１つ以上の送信ポート、又は１つ以上の送信−受信ポート及び１つ以上の送信ポートを有することができる。
【００９７】
独立回路モジュールの送信−受信ポートは、送信回路と受信回路を統合した後のポートに対応する。
【００９８】
本実施形態において、無線周波数回路の物理的形態は様々であり、ここで限定しないことを理解できる。
【００９９】
本実施形態において、単一周波数単一送信モードで動作可能な電子装置に対して、マルチウェイスイッチに適合した無線周波数回路の物理的形態は、少なくとも１つの独立回路モジュールを含み、適合の柔軟性を向上させ、コストの削減することに有益である。
【０１００】
１つの可能な実施形態では、電子装置は単一周波数二重送信モードで動作可能であり、無線周波数回路は論理的に２つの送信回路と４つの受信回路を含む。無線周波数回路は物理的に少なくとも２つの独立回路モジュールを含む。少なくとも２つの独立回路モジュールは、受信ポート及び送信−受信ポート及び/又は送信ポートを含み、これらはＴポートに結合される。
【０１０１】
低電力及び低消費電力であるので、受信回路の低雑音増幅器（ＬＮＡ）は同時に動作することができ、設計によって相互の影響を回避することができる。従って同じ周波数帯域の複数の受信回路の複数のＬＮＡは同じ回路モジュールに配置することができる。
【０１０２】
見て分かるように、本実施形態では、同じ周波数帯域の２つのパワーアンプ（ＰＡ）が同時に動作すると（ＵＬ  ＭＩＭＯモードに対応する）、送信電力が高くなり、２つの信号が互いに干渉する。さらに、２つのＰＡが同時に動作すると、放熱効率を影響する。これを考慮すると、送信回路にＰＡを設置するために２つの独立回路モジュールが必要である。これは、干渉を減少し、無線周波数システムの信号処理効率と放熱効率を高めることに役立つ。
【０１０３】
１つの可能な実施形態では、電子装置は二重周波数単一送信モードで動作可能であり、無線周波数回路は論理的に２つの送信回路及び８つの受信回路を含む。無線周波数回路は物理的に少なくとも１つの独立回路モジュールを含む。少なくとも１つの独立回路モジュールは、受信ポート及び送信−受信ポート及び/又は送信ポートを含み、これらはＴポートに結合される。
【０１０４】
異なる周波数帯域の送信回路のＰＡは同時に動作しないので、同じ独立回路モジュールに異なる周波数帯域の２つのＰＡを設置することができる。
【０１０５】
本実施形態において、二重周波数単一送信モードで動作可能な電子装置に対して、マルチウェイスイッチに適合した無線周波数回路の物理的形態は、少なくとも１つの独立回路モジュールを含み、適合の柔軟性を向上させ、コストの削減することに有益である。
【０１０６】
１つの可能な実施形態では、電子装置は二重周波数二重送信モードで動作可能であり、無線周波数回路は論理的に４つの送信回路及び８つの受信回路を含む。無線周波数回路は物理的に少なくとも２つの独立回路モジュールを含む。少なくとも２つの独立回路モジュールに２つのパワーアンプ（ＰＡ）を含む独立回路モジュールが存在する場合、独立回路モジュールの２つのＰＡは異なる周波数帯域で動作する。少なくとも２つの独立回路モジュールは、受信ポート及び送信−受信ポート及び/又は送信ポートを含み、これらはＴポートに結合される。
【０１０７】
見て分かるように、本実施形態では、同じ周波数帯域の２つのパワーアンプ（ＰＡ）が同時に動作すると（ＵＬ  ＭＩＭＯモードに対応する）、送信電力が高くなり、２つの信号が互いに干渉する。さらに、２つのＰＡが同時に動作すると、放熱効率を影響する。これを考慮すると、送信回路にＰＡを設置するために２つの独立回路モジュールが必要である。なお、異なる周波数帯域の送信回路のＰＡは同時に動作しないので、同じ独立回路モジュールに異なる周波数帯域の２つのＰＡを設置することができる。これは、干渉を減少し、無線周波数システムの信号処理効率と放熱効率を高めることに役立つ。
【０１０８】
１つの可能な実施形態において、４つのアンテナは、第一アンテナ、第二アンテナ、第三アンテナ及び第四アンテナを含む。これらの４つのアンテナは、すべて第五世代の新しいラジオ（５Ｇ ＮＲ）周波数帯域で使用することができる。５Ｇ ＮＲ周波数帯域は、例えば、３．３ＧＨｚ〜５ＧＨｚを含むことができる。
【０１０９】
１つの可能な実施形態において、４つのアンテナは、第一アンテナ、第二アンテナ、第三アンテナ及び第四アンテナを含む。第一アンテナと第四アンテナは、長期進化（Ｌｏｎｇ Ｔｅｒｍ Ｅｖｏｌｕｔｉｏｎ，ＬＴＥ）周波数帯域と第五世代の新しいラジオ（５Ｇ ＮＲ）周波数帯域で作動可能なアンテナである。第二アンテナ及び第三アンテナは、５Ｇ ＮＲ周波数帯域のみで作動可能なアンテナである。
【０１１０】
第一アンテナ及び第四アンテナは、端末上のＬＴＥの一部の周波数帯域でＤＬ ４×４ ＭＩＭＯをサポートすることを目的とする。この２つのアンテナは５Ｇ ＮＲと共有される（以下、「共有アンテナ」と呼ぶ）。ＬＴＥ周波数帯域は、例えば、１７１０ＭＨｚ〜２６９０ＭＨｚを含むことができる。
【０１１１】
１つの可能な実施形態において、図１２に示されたように、アンテナシステムは、第一コンバイナ及び第二コンバイナをさらに含む。第一コンバイナは、第一アンテナに結合するために用いられる第一ポートと、電子装置のＬＴＥ ４×４  多入力多出力（ＭＩＭＯ）の第一受信経路に結合するために用いられる第二ポートと、マルチウェイスイッチの対応するＰポートに結合するために用いられる第三ポートと、を含む。第二コンバイナは、第四アンテナに結合するために用いられる第一ポートと、電子装置のＬＴＥ ４×４ ＭＩＭＯの第二受信経路に結合するために用いられる第二ポートと、マルチウェイスイッチの対応するＰポートに結合するために用いられる第三ポートと、を含む。
【０１１２】
ＬＴＥ  ４×４  ＭＩＭＯはダウンリンクＬＴＥ受信回路であり、第三受信経路として定義することができる。ＬＴＥには、現在２つの受信経路があるので、ＬＴＥ  ４×４  ＭＩＭＯをサポートするために、第三受信経路と第四受信経路が追加される。
【０１１３】
電子装置は、４つのアンテナの性能に応じて、回路のＰＲＸ（プライマリレシーバー（ｐｒｉｍａｒｙ  ｒｅｃｅｉｖｅｒ））に良い性能を有するアンテナを配置し、アンテナはスタンバイ状態になる。送信機能と受信機能の両方を備えるスイッチのＴポートをＴＸ（送信）とＰＲＸとして使用することができ、アンテナを任意に切り替えることができ、共有アンテナのポート間の結合を制限することを必要としない。
【０１１４】
１つの可能な実施形態において、図１３に示されたように、アンテナシステムは、第一単極双投（ＳＰＤＴ）スイッチ及び第二ＳＰＤＴスイッチをさらに含む。第一ＳＰＤＴスイッチは、第一アンテナに結合するために用いられる第一ポートと、電子装置のＬＴＥ  ４×４  多入力多出力（ＭＩＭＯ）の第一受信経路に結合するために用いられる第二ポートと、マルチウェイスイッチの対応するＰポートに結合するために用いられる第三ポートと、を含む。第二ＳＰＤＴスイッチは、第四アンテナに結合するために用いられる第一ポートと、電子装置のＬＴＥ  ４×４  ＭＩＭＯの第二受信経路に結合するために用いられる第二ポートと、マルチウェイスイッチの対応するＰポートに結合するために用いられる第三ポートと、を含む。
【０１１５】
本発明の方案は、互いに組み合わせるか、又は置き換えることができる。例えば、上記のアンテナシステム及び/又はマルチウェイスイッチは、以下の無線周波数システム及び無線通信装置に使用するか又は組み合わせることができる。なお、本発明の「アンテナシステム及び/又はマルチウェイスイッチ」は、「アンテナシステム」、「マルチウェイスイッチ」、又は「アンテナシステム及びマルチウェイスイッチ」を意味する。
【０１１６】
図１４は、本発明の実施形態に係わる無線周波数システムの構造を示す概略図である。無線周波数システムは、アンテナシステムと、無線周波数回路と、上述したいずれか１つの実施形態に係わるマルチウェイスイッチと、を含む。マルチウェイスイッチは、ｎ個のＴポート及び４つのＰポートを含む。各Ｔポートは４つのＰポートに全部結合される。ｎは整数であり、４≦ｎである。アンテナシステムは、４つのＰポートに対応する４つのアンテナを含む。
【０１１７】
マルチウェイスイッチは、無線周波数回路及びアンテナシステムに結合されて、無線周波数システムのプリセット機能を実現するために用いられる。プリセット機能は、４つのＰポートに対応する４つのアンテナによってＳＲＳを順番に送信する機能である。マルチウェイスイッチの４ＰｎＴ構成は、前述の説明を参照することができ、ここでは再び詳しく説明しない。
【０１１８】
１つの実施形態において、４≦ｎ≦１２である。各Ｐポートは、４つのアンテナのうちの１つのアンテナに結合される。４つのＰポートのうちのいずれか２つのＰポートは、４つのアンテナのうちの異なるアンテナに結合される。
【０１１９】
１つの可能な実施形態において、４つのアンテナは、第一アンテナ、第二アンテナ、第三アンテナ及び第四アンテナを含む。第一アンテナと第四アンテナは、長期進化（ＬＴＥ）周波数帯域と第五世代の新しいラジオ（５Ｇ ＮＲ）周波数帯域で作動可能なアンテナである。第二アンテナ及び第三アンテナは、５Ｇ ＮＲ周波数帯域のみで作動可能なアンテナである。
【０１２０】
１つの可能な実施形態において、４つのアンテナに関する上述構造を使用し、アンテナシステムは、第一コンバイナ及び第二コンバイナをさらに含む。第一コンバイナは、第一アンテナに結合するために用いられる第一ポートと、電子装置のＬＴＥ ４×４ ＭＩＭＯの第一受信経路に結合するために用いられる第二ポートと、マルチウェイスイッチの対応するＰポートに結合するために用いられる第三ポートと、を含む。第二コンバイナは、第四アンテナに結合するために用いられる第一ポートと、電子装置のＬＴＥ ４×４ ＭＩＭＯの第二受信経路に結合するために用いられる第二ポートと、マルチウェイスイッチの対応するＰポートに結合するために用いられる第三ポートと、を含む。
【０１２１】
１つの可能な実施形態において、４つのアンテナに関する上述構造において、アンテナシステムは、第一単極双投（ＳＰＤＴ）スイッチ及び第二ＳＰＤＴスイッチをさらに含む。第一ＳＰＤＴスイッチは、第一アンテナに結合するために用いられる第一ポートと、電子装置のＬＴＥ  ４×４  ＭＩＭＯの第一受信経路に結合するために用いられる第二ポートと、マルチウェイスイッチの対応するＰポートに結合するために用いられる第三ポートと、を含む。第二ＳＰＤＴスイッチは、第四アンテナに結合するために用いられる第一ポートと、電子装置のＬＴＥ  ４×４  ＭＩＭＯの第二受信経路に結合するために用いられる第二ポートと、マルチウェイスイッチの対応するＰポートに結合するために用いられる第三ポートと、を含む。
【０１２２】
図１４に示された無線周波数システムに関連する定義は、前述の説明と類似であるので、ここでは繰り返さない。
【０１２３】
図１５は、本発明の実施形態に係わる無線通信装置の構造を示す概略図である。無線通信装置は、例えば、端末装置、基地局などであることができ、アンテナシステムと、無線周波数トランシーバと、無線周波数トランシーバに結合された無線周波数回路と、 上記のいずれか１つの実施形態に係わるマルチウェイスイッチと、を含む。
【０１２４】
マルチウェイスイッチは、ｎ個のＴポート及び４つのＰポートを含む。各Ｔポートは４つのＰポートに全部結合される。ここで、ｎは整数であり、４≦ｎ≦１２である。各Ｐポートは４つのアンテナのうちの１つのアンテナに結合される。４つのＰポートのうちのいずれか２つのＰポートは、４つのアンテナのうちの異なるアンテナに結合される。アンテナシステムは、４つのＰポートに対応する４つのアンテナを含む。
【０１２５】
マルチウェイスイッチは、無線周波数回路及びアンテナシステムに結合されて、４つのアンテナによってＳＲＳを順番に送信する機能をサポートする。
【０１２６】
さらに、図１６に示されるように、本発明の実施形態で説明されるアンテナシステムの４つのアンテナは、電子装置の無線充電受信機（ｗｉｒｅｌｅｓｓ  ｃｈａｒｇｉｎｇ  ｒｅｃｅｉｖｅｒ）によって再利用することもできる。無線充電受信機は、受信アンテナ及び受信制御回路を含む。受信アンテナは、無線充電送信機（ｗｉｒｅｌｅｓｓ  ｃｈａｒｇｉｎｇ  ｔｒａｎｓｍｉｔｔｅｒ）の送信アンテナと一致する（周波数が同じ又は類似している場合に共振し、放射性共振磁気結合方式でエネルギーを無線伝送方式で伝送する）。受信制御回路は、ループアレイアンテナによってエネルギーを直流（ＤＣ）に変換してから出力して、バッテリーを充電する。受信制御回路は、ループアレイアンテナの周波数を動的に調整することにより、ループアレイアンテナの周波数を無線充電送信機の送信アンテナの周波数と一致させて、ペアリングされた充電を達成することができる。あるいは、受信制御回路は、リアルタイムで無線充電送信機と周波数変更範囲について対話して、「排他的な暗号化」無線充電モードを実現することができる。
【０１２７】
受信アンテナは、４つのアンテナのうちの少なくとも１つのアンテナからなるアンテナであることができる（複数のアンテナの場合、複数のアンテナはスイッチによってストローブされる）。
【０１２８】
例えば、図１７に示されたように、受信アンテナは、上述した４つのアンテナを含むループアレイアンテナである。４つのアンテナは、アンテナ１、アンテナ２、アンテナ３及びアンテナ４を含む。アンテナ１及びアンテナ４は、ＬＴＥ周波数帯域と５Ｇ ＮＲ周波数帯域の両方で動作可能であるが、アンテナ２及びアンテナ３は、５Ｇ ＮＲ周波数帯域のみで動作可能である。アンテナ１のポートとアンテナ４のポートは、ループアレイアンテナのポートとして使用される。隣接するアンテナの間は、絶縁機能を有するゲート回路１７０によって結合される。ゲート回路１７０は、スペーサー１７１及びスイッチ１７２を含み、スペーサー１７１は導体であり、スイッチ１７２はさらにコントローラーに結合される。電子装置は、無線充電モードで各ゲート回路１７０のスイッチ１７２を導通させて、エネルギーを受信するループアレイアンテナを形成することができる。アンテナの間にスペーサー１７１を追加することにより、ゲート回路１７０は、通常の通信モードにおける電子装置の複数のアンテナの間の相互結合を低減し、複数のアンテナ間の分離を改善し、アンテナの性能を最適化する一方、スイッチ１７１によって複数のアンテナを直列に結合してループアレイアンテナを形成することにより、送信アンテナとの一致性を高めてエネルギーを伝送することができる。アンテナ１及びアンテナ４の能力はアンテナ２及びアンテナ３の能力よりも強いので、このように配置されたループアレイアンテナは、エネルギー伝送損失を極力低減することができる。
【図１】
2021507611.tif 000003
【図２】
2021507611.tif 000004
【図３Ａ】
2021507611.tif 000005
【図３Ｂ】
2021507611.tif 000006
【図３Ｃ】
2021507611.tif 000007
【図３Ｄ】
2021507611.tif 000008
【図４Ａ】
2021507611.tif 000009
【図４Ｂ】
2021507611.tif 000010
【図４Ｃ】
2021507611.tif 000011
【図４Ｄ】
2021507611.tif 000012
【図５Ａ】
2021507611.tif 000013
【図５Ｂ】
2021507611.tif 000014
【図５Ｃ】
2021507611.tif 000015
【図６Ａ】
2021507611.tif 000016
【図６Ｂ】
2021507611.tif 000017
【図７Ａ】
2021507611.tif 000018
【図７Ｂ】
2021507611.tif 000019
【図８Ａ】
2021507611.tif 000020
【図８Ｂ】
2021507611.tif 000021
【図９Ａ】
2021507611.tif 000022
【図９Ｂ】
2021507611.tif 000023
【図１０】
2021507611.tif 000024
【図１１】
2021507611.tif 000025
【図１２】
2021507611.tif 000026
【図１３】
2021507611.tif 000027
【図１４】
2021507611.tif 000028
【図１５】
2021507611.tif 000029
【図１６】
2021507611.tif 000030
【図１７】
2021507611.tif 000031
【国際調査報告】
2021507611.tif 000032
2021507611.tif 000033
2021507611.tif 000034